(57)【特許請求の範囲】
【請求項１】
身頃２，３を構成する布片を縫着することにより構成される女性用下着において、
前記身頃２，３の裾部５，１２に相当する部分を中心線として、当該身頃２，３を対称に形成し、前記身頃２，３を中心線を折り返し線として折り返すことによって二重構造とし、
当該身頃２，３の二重構造とした裾部５，１２の折り返し線である中心線に沿った両端部６，１７どうし、及び前記身頃２，３の裾部５，１２に相当する以外のエッジ部分９，１０，１１を縫着することによって、前記身頃部を構成大に相当する部分を二重構造とし、当該身頃２，３の裾部５，１２にエッジ処理を一切不要としたことを特徴とする女性用下着。
【請求項２】
前記身頃を構成する布片が、当該身頃の端部に相当する線を中心として対称に形成されており、この対称に形成された布片を折り返すことによって、身頃の端部に相当する部分を二重構造としたことを特徴とする請求項１に記載の女性用下着。
【発明の詳細な説明】
【０００１】
【発明の属する技術分野】
この発明は、ショートレングスのガードル、ロングガードル、ブラジャー、ウエストニッパー、ボデイシェイパー、ボデイスーツ等の女性用下着に関し、特に、これらの女性用下着の裾部が肉厚となって表着等に響くことがなく、且つ着用感に優れ、しかも製造が容易な女性用下着に関するものである。
【０００２】
【従来の技術】
従来、この種のショートレングスのガードルやロングガードル等の女性用下着としては、例えば、図２４に示すように、織地や編地等からなる表地１０１を、所定のショートガードル１００に対応した形状に裁断し、これらの織地や編地等からなる表地１０１の表身頃と後身頃の境界に対応した部分１０２を縫着するとともに、ガードル１００のエッジを処理するため、表地１０１の端部１０３を５〜６ｍｍの幅で折り返し、その始末を兼ねてストレッチテープ１０４を裏打ちして縫い止めるように構成されているものがある。
【０００３】
【発明が解決しようとする課題】
しかし、上記従来技術の場合には、次のような問題点を有している。すなわち、上記従来技術の場合には、図２４に示すように、ガードル１００のエッジを処理するために、表地１０１の端部１０３を５〜６ｍｍの幅で折り返し、その始末を兼ねてストレッチテープ１０４を裏打ちして縫い止めるように構成されている。その為に、ガードル１００等の下着のエッジを処理する際に、表地１０１の端部１０３を折り返し、ストレッチテープ１０４を裏打ちする必要があり、ガードル１００の裾部が肉厚になり、表着に響くばかりか、人体にゴロツキ感を与えると共に、物理的な圧迫感等の刺激を与え、着用感が悪いという問題点に加えて、エッジの縫製処理工程は、通常二工程となり、製造コストを高めると共に、技術を要するという問題点があった。
【０００４】
そこで、この発明は、上記従来技術の問題点を解決するためになされたものであり、その目的とするところは、女性用下着の裾部が肉厚となって表着等に響くことがなく、且つ着用感に優れ、しかも製造が容易な女性用下着を提供することにある。
【０００５】
【課題を解決するための手段】
すなわち、請求項１に記載の発明は、身頃２，３を構成する布片を縫着することにより構成される女性用下着において、
前記身頃２，３の裾部５，１２に相当する部分を中心線として、当該身頃２，３を対称に形成し、前記身頃２，３を中心線を折り返し線として折り返すことによって二重構造とし、
当該身頃２，３の二重構造とした裾部５，１２の折り返し線である中心線に沿った両端部６，１７どうし、及び前記身頃２，３の裾部５，１２に相当する以外のエッジ部分９，１０，１１を縫着することによって、前記身頃部を構成大に相当する部分を二重構造とし、当該身頃２，３の裾部５，１２にエッジ処理を一切不要としたものである。
【０００６】
また、請求項２に記載の発明は、前記身頃を構成する布片が、当該身頃の端部に相当する線を中心として対称に形成されており、この対称に形成された布片を折り返すことによって、身頃の端部に相当する部分を二重構造としたことを特徴とする請求項１に記載の女性用下着である。
【０００７】
【発明の実施の形態】
以下にこの発明を図示の実施の形態に基づいて説明する。
【０００８】
実施の形態１
図１はこの発明の実施の形態１に係る女性用下着としてのショートレングスのガードルを示すものである。
【０００９】
図１において、１はショートレングスのガードルを示すものであり、このガードル１は、左右に分割された左側の身頃２と右側の身頃３とから構成されている。これら左右の身頃２、３は、図２及び図３に示すように、全体が二重構造となっているとともに、左右の身頃２、３は、体の中心線に対して左右対称に形成されている。例えば、上記右側の身頃３は、図５に示すように裁断された布地４を、図３に示すように、その中心線から二つに折り畳むことによって二重に形成されている。このように二つに折り畳まれた右側の身頃３は、図４に示すように、ガードル１の右側の大腿部を通す裾部５に相当する部分が、両端部３Ａ、３Ａからなる直線状に形成されており、この裾部５の両端３Ａ、３Ａを結ぶ直線を中心として、対称に形成されている。また、上記右側の身頃３は、図４に示すように、裾部５に相当する部分の両端部３Ａ、３Ａに対して、所定の角度で交差するように、体の腰の前側部で縫着される部分６、７が形成されている。さらに、上記右側の身頃３は、体の腰の前側部で縫着される部分６、７の端部３Ｃ、３Ｄに対して、所定の角度で交差するように、それぞれガードル１の上端縁部８のうち、右半分８ａの前側部分９と後側部分１０が直線状に形成されている。また、上記右側の身頃３は、ガードル１の上端縁部８のうち、右半分８ａの前側部分９と後側部分１０の端部３Ｂ、３Ｂを、所定の形状に形成された曲線１１によって接続し、この曲線部分１１が左右の身頃２、３を互いに縫着する際の縫着線を構成するとともに、ガードル１の左右に分割された中心線を形成するようになっている。
【００１０】
一方、上記左側の身頃２は、図３に示すように、右側の身頃３と同様に、ガードル１の左側の大腿部を挿通する裾部１２に相当する部分が、両端部２Ａ、２Ａからなる直線状に形成されており、この裾部１２の両端２Ａ、２Ａを結ぶ直線を中心として、対称に形成されている。また、上記左側の身頃２は、裾部１２に相当する部分の両端部２Ａ、２Ａに対して、所定の角度で交差するように、体の腰の前側部で縫着される部分１３、１４が直線状に形成されている。さらに、上記左側の身頃２は、体の腰の前側部で縫着される部分１３、１４の端部２Ｃ、２Ｄに対して、所定の角度で交差するように、それぞれガードル１の上端縁部８のうち、左半分８ｂの前側部分１５と後側部分１６が形成されている。また、上記左側の身頃２は、ガードル１の上端縁部８のうち、左部分８ｂの前側部分１５と後側部分１６の端部２Ｂ、２Ｂを、所定の形状に形成された曲線１７によって接続し、この曲線部分１７が左右の身頃２、３を互いに縫着する際の縫着線を構成するとともに、ガードル１の左右に分割された中心線を形成するようになっている。
【００１１】
また、上記左右の身頃２、３を形成する織地や編地等からなる布片の素材としては、二重構造による身頃が目的とする肉厚、及び目的とする緊迫力等の条件を備える素材であれば、通常のラッセル又はトリコット編、エラスティック素材等の市販のものを用いることができる。
【００１２】
ところで、上記左右の身頃を形成する素材としては、上記のような一般の素材以外にも、この発明の特徴に関連して次のような素材を使用するのが望ましい。
【００１３】
即ち、上記左右の身頃２、３を形成する素材としては、例えば、図５に示すように、折線となる中心線２Ａ、２Ａの折り返しを容易にするため、中心線２Ａ、２Ａに相当する部分に、糸抜き又は編み立て時の針抜き等によりラインを入れたものを用いてもよい。この結果、上記左右の身頃２、３を形成する素材は、ボーダー柄となる。なお、図５は、図３及び図４に示す身頃２、３を形成する素材を、図３の曲線１１と１７を表同志及び裏同志で縫合した状態を示す平面図である。
【００１４】
また、上記左右の身頃２、３を形成する素材としては、図６及び図７に示すように、折線となる中心線２Ａ、２Ａより必要な幅の部分１８を、身頃２、３の部分と異なるパワー又は伸長率の異なるストレッチヤーンを、所定の幅Ｗに渡って挿入又は編み込むことにより、裾部５、１２のフィット性を高めることができる。また、上記左右の身頃２、３を形成する素材の全体に、ストレッチヤーンを使用する場合には、裾部５、１２のみストレッチ糸のデニールを変えること等により、即ち裾部５、１２のみ太いストレッチ糸を使用することにより、裾部５、１２のフィット性を高めるように構成してもよい。なお、この裾部５、１２は、デザインの機能をも兼ねたものとして、表裏いずれか一方又は表裏共に設けるようにしても良い。
【００１５】
さらに、上記左右の身頃２、３を形成する素材としては、例えば、裏側裾部５を編み立てるときに、上記異なる又は同一ストレッチヤーンを所定の幅Ｗで表面に露出するように構成し、ガードル１のエッジがずれ上がることを防止するように構成しても良い。また、上記左右の身頃２、３を形成する素材としては、裾部５、１２のエッジ裏側に滑り止めとして合成樹脂等をコーチングしてもよい。更に、上記裾部５、１２に身頃２、３の部分と異なるパワー又は伸張率の異なるストレッチヤーンを、所定の幅Ｗに渡って挿入又は編み込むように構成する場合に、デザインされた所定の幅部分に綿糸等を混入し、裾部５、１２のずれ上がりを防止するとともに、肌あたりを良くするように構成しても良い。
【００１６】
また、上記左右の身頃２、３を形成する素材としては、上記の如く、折線となる中心線２Ａ、２Ａより必要な幅の部分１８を、身頃２、３の部分と異なるパワー又は伸張率の異なるストレッチヤーンを、所定の幅Ｗに渡って挿入又は編み込むことにより、裾部５、１２のフィット性を高めることともに、又はこれに代えて、例えば、図８に示すように、折線となる中心線２Ａ、２Ａを起点にして、体の中央部に向けてパワー又は伸張率を徐々に弱くしていき、グラデーション的に設計したものであってもよい。このようなグラデーション的に設計した部分は、例えば、身頃全体又は少なくとも１／３の範囲で設けられる。その際、フィット性を高めるのに必要な領域の幅Ｗが、身頃２、３の部分との間に段差を生じないように、ストレッチ糸等のデニールを徐々に身頃と同一にするか、又はストレッチ糸等の挿入本数を徐々に減らす等の手段により、徐々にパワーや伸張力を身頃部分と一体化させるのが望ましい。
【００１７】
さらに又、上記左右の身頃２、３を形成する素材としては、図９に示すように、折線となる中心線２Ａ、２Ａを中心にして、ボーダー構成となった布地に、１本又は数本間隔で綿糸を混入又はパイル調に浮かせて編み立てたものを用いてもよい。このように、折線となる中心線２Ａ、２Ａを中心にして、ボーダー構成となった布地に、１本又は数本間隔で綿糸を混入又はパイル調に浮かせて編み立てたものを用いた場合には、ガードル１の表面とその上に着用する表着とのすべりを高めるため、又は摩擦堅牢度を高める等の目的を達成するような編み組織や編み糸のデザインとするのが望ましい。また、上記左右の身頃２、３を形成する素材としては、その裏面に、肌あたりを高めたり、吸汗性を高める等の医療（衛生的）目的を達成するようにするため、綿糸を挿入したり、又は合繊糸でもより細いデニールで起毛状態として、毛細管現象を持たせるようにするのが望ましい。さらに、上記左右の身頃２、３を形成する素材としては、図９に示すように、股部や腹部等に部分的に、適宜に綿糸を混入又はパイル調に浮かせて編み立てたものを用いるようにしても良い。なお、図９中、Ａの部分は、裏面を全面に綿糸を挿入又は綿混糸で構成した部分を、Ｂの部分は、更に部分的にクロッチ部を綿糸等でパイル調に編立てた部分をそれぞれ示している。
【００１８】
なお、上記の如く種々の工夫をした左右の身頃２、３を形成する素材としては、原則としてタテ編み組織からなるものを前提とするが、当然トリコット組織、並びに丸編み、ヨコ編み等の組織からなるものを用いてもよい。
【００１９】
さらに、上記の如くフィット性を高めたり、着用感を向上させる等の機能の付加を、左右の身頃２、３を形成する素材の時点で行う場合に限定されるものではなく、コンピュータージャガード機等を使用することにより、ガードル１そのものを構成する材料の編み立て時に、同時にフィット性を高めたり、着用感を向上させる等の機能の付加を行うように構成しても良い。
【００２０】
即ち、上記ガードル１を構成する表地としては、図１３に示すように、コンピュータージャガード機（丸編、タテ編等）を使用することにより、必要な部位の伸張率や伸張力を編組織により変えるように構成しても良い。例えば、裏面を示す図１３中、（イ）の部分は、伸張率が低く最も伸張力が高くし、（ロ）の部分は、（ハ）の部分より伸張率が低く（イ）の部分より伸張力が低くし、（ハ）の部分は、最も伸張率が高く最も伸張力が低くし、（ニ）の部分は、（ロ）の部分より伸張率は高いが伸張力も高く、（ホ）の部分は、パイル調で綿糸が浮かせてある。なお、表面は、よりソフトで光沢があり滑りがよくなっている。
【００２１】
また、上記ガードル１を構成する素材の裏面の必要な部位に、腹部を押さえたり股部の肌あたりをよくする等の目的で、図１０に示すように、別素材１８を縫い止めしたり、又は適度の意匠を高める等の目的で上記パターン化を表裏で、図１１に示すように、表側に腹部押さえをデザインし、図１２に示すように、裏側マチ部にパイル編をデザインするように構成してもよい。なお、図１０において、１８は裏面身頃に綿トリコット等別布を嵌め込むことにより、吸湿性等の機能を部分的に高めたものである。
【００２２】
さらには、上記ガードル１を構成する素材に、所定のモールド型を用いて、熱処理をすることにより、形状を整える、又はヒップ部を膨出させる、又は腹部の伸びを防止する等の後処理をしても良い。
【００２３】
又さらには、この発明は、原則として二重構造とするが、ヒップの形状をより表現するために、必要な範囲を一重構造にするか、又は必要な部分例えば腹部又はヒップアンダー部等を３枚構造としてもよい。
【００２４】
さらに、上記ガードル１を構成する表地としては、図１４に示すように、表裏の間に、腹部及びヒップ部の下部に当布１８ａ、１８ｂが縫着されており、腹部を押さえたり、ヒップアップの効果を得ることができるようになっている。
【００２５】
以上の構成において、この実施の形態１に係る女性用下着としてのショートガードルの場合には、次のようにして、女性用下着の裾部が厚肉となって表着等に響くことがなく、且つ着用感に優れ、しかも製造が容易な女性用下着を提供することができるようになっている。
【００２６】
すなわち、この実施の形態１に係るショートガードル１は、図１〜図４に示すように、当該ショートガードル１を構成する左右の身頃２、３が、その裾部５、１２に相当する部分を折り返すことによって二重に構成されており、左右の身頃２、３の各両端部６、７及び１３、１４を縫着するとともに、左右の身頃２、３の中心部１１及び１７を互いに縫着することにより製造されるように構成されている。そのため、上記ショートガードル１を製造する際には、ガードル１のエッジを処理するため、表地の端部を折り返してストレッチテープを裏打ちするといった作業が一切不要であり、当該ガードル１の裾部５、１２は、左右の身頃２、３を構成する布片の裾部５、１２に相当する部分を、二重になるように折返すだけでよく、ガードル１の裾部５、１２が厚肉になって表着に響くことがなく、しかも製造工程が簡単であって低コストで製造することができる。また、上記ショートガードル１は、その裾部５、１２が肉厚になることがないので、人体にゴロツキ感を与えたり、物理的な圧迫感等の刺激を与えることがなく、良好な着用感を得ることができる。
【００２７】
実施の形態２
図１５〜１７はこの発明の実施の形態２を示すものであり、前記実施の形態１と同様の部分には同一の符号を付して説明すると、この実施の形態２に係る女性用下着は、ショートレングスのガードルではなく、ロングガードルとなっている。
【００２８】
すなわち、この実施の形態２では、ガードル１が大腿部を覆う脚部２０を備えるように構成されており、この脚部２０の下端部である裾部５、１２が二重構造となっている。上記ガードル１は、図１６に示すような身頃２、３を、中心線から折り返すことによって二重に構成される。
【００２９】
また、上記ロングガードル１としては、図１７に示すように、裾部５、１２より必要な幅の部分１８を、身頃２、３の部分と異なるパワー又は伸張率の異なるストレッチヤーンを、所定の幅Ｗに渡って挿入又は編み込むことにより、裾部５、１２のフィット性を高めるように構成しても良い。
【００３０】
さらに、上記ロングガードル１としては、図１８に示すように、ヒップ部２１を一重に形成して、当該ガードル１の身頃として図１９に示すように非対称形状のものを用いても良い。
【００３１】
その他の構成及び作用は、前記実施の形態１と同様であるので、その説明を省略する。
【００３２】
実施の形態３
図２０はこの発明の実施の形態３を示すものであり、前記実施の形態１と同様の部分には同一の符号を付して説明すると、この実施の形態３に係る女性用下着は、ガードルではなくブラジャーとなっている。
【００３３】
すなわち、この実施の形態２では、ブラジャー３０のアンダー部３１の裾部３２が二重構造となっている。上記ブラジャー３０のアンダー部３１は、図２１に示すような身頃３３を、中心線から折り返すことによって二重に構成される。
【００３４】
なお、上記ブラジャー３１としては、図２０に示すように、裾部３２より必要な幅の部分１８を、身頃の部分と異なるパワー又は伸張率の異なるストレッチヤーンを、所定の幅に渡って挿入又は編み込むことにより、裾部のフィット性を高めるように構成しても良い。
【００３５】
その他の構成及び作用は、前記実施の形態１と同様であるので、その説明を省略する。
【００３６】
実施の形態４
図２２はこの発明の実施の形態４を示すものであり、前記実施の形態１と同様の部分には同一の符号を付して説明すると、この実施の形態４に係る女性用下着は、ガードルではなくウエスニッパーとなっている。
【００３７】
すなわち、この実施の形態２では、ウエストニッパー４０の裾部４１及び上端部４２が二重構造となっている。上記ウエストニッパー４０は、図２２に示すように、上下の身頃４３、４４を接ぎ線４５で互いに縫着することによって構成されている。また、上記ウエストニッパー４０は、補強用のボーン４６が適宜挿入されているとともに、当布４７が縫着されている。
【００３８】
その他の構成及び作用は、前記実施の形態１と同様であるので、その説明を省略する。
【００３９】
実施の形態５
図２３はこの発明の実施の形態５を示すものであり、前記実施の形態１と同様の部分には同一の符号を付して説明すると、この実施の形態５に係る女性用下着は、ボデイスーツとなっている。
【００４０】
すなわち、この実施の形態５では、ボデイスーツ５０の裾部５１、５２が二重構造となっている。上記ボデイスーツ５０は、図２３に示すように、左右の身頃５３、５４を互いに縫着することによって構成されており、これら左右の身頃５３、５４は、中心線から折り返すことによって二重に構成される。
【００４１】
なお、上記ボデイスーツ５０は、その前側中央部に当布５５が縫着されており、ボデイの補形性等を高めるようになっている。
【００４２】
その他の構成及び作用は、前記実施の形態１と同様であるので、その説明を省略する。
【００４３】
このように、本発明では、表着に響かない女性用下着のエッジ構造、人体に刺激を与えないフラットなエッジ構造、より生産効率的なエッジの構成にあり、この利点を生かすことのできるファンデーションガーメント（整姿用肌着）等の全般に適用することができる。また、当然ファンデーション機能を持った整理用ショーツ並びに通常のショーツ等の肌着類、又は裏面にファンデーション機能を構成した水着類にも適用することが可能である。
【００４４】
【発明の効果】
以上説明したように、この発明によれば、女性用下着の裾部が厚肉となって表着等に響くことがなく、且つ着用感に優れ、しかも製造が容易な女性用下着を提供することができる。
【図面の簡単な説明】
【図１】  図１はこの発明の実施の形態１に係るショートレングスのガードルを示す外観斜視図である。
【図２】  図２この発明の実施の形態１に係るショートレングスのガードルの製造工程を示す外観斜視図である。
【図３】  図３はガードルの左右の身頃をそれぞれ示す構成図である。
【図４】  図４は右側の身頃を示す平面図である。
【図５】  図５は左右の身頃を示す平面図である。
【図６】  図６は右側の身頃を構成する布片を示す平面図である。
【図７】  図７は右側の身頃を構成する布片を示す平面図である。
【図８】  図８は右側の身頃を構成する布片を示す平面図である。
【図９】  図９は身頃を構成する布片を示す平面図である。
【図１０】  図１０は左右の身頃を示す平面図である。
【図１１】  図１１は左右の身頃の表面を示す平面図である。
【図１２】  図１２は左右の身頃の裏面を示す平面図である。
【図１３】  図１３は左右の身頃を示す平面図である。
【図１４】  図１４（ａ）（ｂ）は左右の身頃をそれぞれ示す平面図、及び縫着した状態の背面図である。
【図１５】  図１５はこの発明の実施の形態２に係るロングガードルを示す外観斜視図である。
【図１６】  図１６は身頃を構成する布片を示す平面図である。
【図１７】  図１７はこの発明の実施の形態２に係るロングガードルの変形例を示す外観斜視図である。
【図１８】  図１８はこの発明の実施の形態２に係るロングガードルの変形例を示す外観斜視図である。
【図１９】  図１９は身頃を構成する布片を示す平面図である。
【図２０】  図２１はこの発明の実施の形態３に係るブラジャーを示す外観斜視図である。
【図２１】  図２１は身頃を構成する布片を示す平面図である。
【図２２】  図２２はこの発明の実施の形態４に係るウエストニッパーを示す外観斜視図である。
【図２３】  図２３はこの発明の実施の形態５に係るボデイスーツを示す外観斜視図である。
【図２４】  図２４は従来のショートレングスのガードルを示す外観斜視図である。
【符号の説明】
１：ショートレングスのガードル、２、３：左右の身頃、４：布地、５、１２：裾部、３Ａ−３Ａ：中心線。
【図１】
0003961673.tif 000002
【図２】
0003961673.tif 000003
【図３】
0003961673.tif 000004
【図４】
0003961673.tif 000005
【図５】
0003961673.tif 000006
【図６】
0003961673.tif 000007
【図７】
0003961673.tif 000008
【図８】
0003961673.tif 000009
【図９】
0003961673.tif 000010
【図１０】
0003961673.tif 000011
【図１１】
0003961673.tif 000012
【図１２】
0003961673.tif 000013
【図１３】
0003961673.tif 000014
【図１４】
0003961673.tif 000015
【図１５】
0003961673.tif 000016
【図１６】
0003961673.tif 000017
【図１７】
0003961673.tif 000018
【図１８】
0003961673.tif 000019
【図１９】
0003961673.tif 000020
【図２０】
0003961673.tif 000021
【図２１】
0003961673.tif 000022
【図２２】
0003961673.tif 000023
【図２３】
0003961673.tif 000024
【図２４】
0003961673.tif 000025